(57)【要約】  本発明は、環境温度が低温度になった場合のミスアドレスによる画面での欠落の発生を低減することのできるプラズマディスプレイの駆動方法及び装置に関する。  本発明のプラズマディスプレイでは、環境温度を検出し、電荷調整期間において、走査電極電圧の駆動波形が、負方向に連続的に変化して終了時に到達する到達電圧を、上記検出された環境温度に応じて変化させ、その変化の向きは環境温度が下がると到達電圧が正の方向になるように制御する。【特許請求の範囲】
【請求項１】
並行する第１及び第２の電極が互いに隣接して複数配置されると共に、該第１および第２の電極に交差するように第３の電極が複数配置されてなり、各電極の交差領域で放電セルが規定され、リセット期間と、アドレス期間と、維持放電期間とを有し、
前記リセット期間において、
前記第２の電極に第１の正極性のパルスを印加し、次いで、前記第２の電極に時間の経過に伴って印加電圧値が減少する第２のパルスを印加するプラズマディスプレイの駆動方法であって、
前記プラズマディスプレイの環境温度を検出し、前記第２のパルスの到達電位を前記環境温度に基づいて制御することを特徴とするプラズマディスプレイの駆動方法。
【請求項２】
前記第２のパルスの到達電位を、前記環境温度が低下したときに上昇させ、前記環境温度が上昇したときに低下させるように制御することを特徴とする請求項１に記載のプラズマディスプレイの駆動方法。
【請求項３】
前記第１のパルスは、時間の経過に伴って印加電圧値が増大するパルスであることを特徴とする請求項１乃至請求項２の何れか一項に記載のプラズマディスプレイの駆動方法。
【請求項４】
前記第２の電極に前記第１のパルスを印加する期間に、前記第１の電極に負極性のパルスを印加することを特徴とする請求項３に記載のプラズマディスプレイの駆動方法。
【請求項５】
前記第１のパルスは前記リセット期間の開始時に所定電圧まで立ち上がり、前記所定電圧を所定期間維持する波形のパルスであり、
前記第２の電極への前記第１のパルスの印加後であって、前記第２のパルスの印加前に、前記第１の電極に正極性パルスを印加することを特徴とする請求項１乃至請求項２の何れか一項に記載のプラズマディスプレイの駆動方法。
【請求項６】
前記第２のパルスの、時間の経過に伴う電圧値の変化量を、前記環境温度により制御することを特徴とする請求項１乃至請求項５の何れか一項に記載のプラズマディスプレイの駆動方法。
【請求項７】
前記第２のパルスは、時間の経過に伴って印加電圧値が直線的に減少するパルスであって、前記第２のパルスの傾きを、前記環境温度により制御することを特徴とする請求項１乃至請求項５の何れか一項に記載のプラズマディスプレイの駆動方法。
【請求項８】
前記到達電位は、前記アドレス期間時に前記第２の電極に印加する負極性パルス電圧値より大きくすることを特徴とする請求項１乃至請求項７の何れか一項に記載のプラズマディスプレイの駆動方法。
【請求項９】
前記到達電位と、前記アドレス期間時に前記第２の電極に印加する負極性パルス電圧との電位差を３０Ｖ以下とすることを特徴とする請求項１乃至請求項８の何れか一項に記載のプラズマディスプレイの駆動方法。
【請求項１０】
前記第２のパルスの値が前記到達電位に到達する前記リセット期間の終了時のタイミングを制御することにより、前記到達電位を制御することを特徴とする請求項１乃至請求項９の何れか一項に記載のプラズマディスプレイの駆動方法。
【請求項１１】
並行する第１及び第２の電極が互いに隣接して複数配置されると共に、該第１および第２の電極に交差するように第３の電極が複数配置されてなり、各電極の交差領域で放電セルが規定され、リセット期間と、アドレス期間と、維持放電期間とを有するプラズマディスプレイ装置であって、
前記リセット期間において、
前記第２の電極に正極性のパルスを印加し、次いで、前記第２の電極に時間の経過に伴って印加電圧値が減少する第２のパルスを印加する駆動手段と、
前記プラズマディスプレイの環境温度を検出する手段と、
前記環境温度に基づいて、前記第２のパルスの到達電位を制御する制御手段を有することを特徴とするプラズマディスプレイ装置。
【請求項１２】
前記制御手段は、前記第２のパルスの到達電位を、前記環境温度が低下したときに上昇させ、前記環境温度が上昇したときに低下させるように制御することを特徴とする請求項１１に記載のプラズマディスプレイ装置。
【請求項１３】
前記第１のパルスは、時間の経過に伴って印加電圧値が増大するパルスであることを特徴とする請求項１１乃至請求項１２の何れか一項に記載のプラズマディスプレイ装置。
【請求項１４】
前記第２の電極に前記第１のパルスを印加する期間に、前記第１の電極に負極性のパルスを印加する第１電極駆動手段を有することを特徴とする請求項１３に記載のプラズマディスプレイ装置。
【請求項１５】
前記第１のパルスは前記リセット期間の開始時に所定電圧まで立ち上がり、前記所定電圧を所定期間維持する波形のパルスであり、
前記第２の電極への前記第１のパルスの印加後であって、前記第２のパルスの印加前に、前記第１の電極に正極性パルスを印加する第１電極駆動手段を有することを特徴とする請求項１１乃至請求項１２の何れか一項に記載のプラズマディスプレイ装置。
【請求項１６】
前記制御手段は、複数の異なる電圧値を設け、前記環境温度により前記電圧値の何れか１つを選択制御するように構成したことを特徴とする請求項１１乃至請求項１５の何れか一項に記載のプラズマディスプレイ装置。
【請求項１７】
前記第２のパルスは、時間の経過に伴って印加電圧値が直線的に減少するパルスであって、前記制御手段は、前記第２のパルスの傾きを、前記環境温度により制御することを特徴とする請求項１１乃至請求項１５の何れか一項に記載のプラズマディスプレイ装置。
【請求項１８】
前記到達電位は、前記アドレス期間時に前記第２の電極に印加する負極性パルス電圧値より大きくすることを特徴とする請求項１１乃至請求項１７の何れか一項に記載のプラズマディスプレイ装置。
【請求項１９】
前記到達電位と、前記アドレス期間時に前記第２の電極に印加する負極性パルス電圧との電位差を３０Ｖ以下とすることを特徴とする請求項１１乃至請求項１８の何れか一項に記載のプラズマディスプレイの駆動方法。
【請求項２０】
前記制御手段は、前記第２のパルスの値が前記到達電位に到達する前記リセット期間の終了時のタイミングを制御することにより、前記到達電位を制御することを特徴とする請求項１１乃至請求項１９の何れか一項に記載のプラズマディスプレイ装置。
【発明の詳細な説明】
【技術分野】
【０００１】
本発明は、プラズマディスプレイの駆動方法及び装置に関する。さらに具体的には、本発明の好適実施形態は、プラズマディスプレイの環境温度が低温度になった場合のミスアドレスによるプラズマディスプレイ画面でのノイズの発生を低減することのできるプラズマディスプレイの駆動方法及び装置を提供する。
【背景技術】
【０００２】
従来から、プラズマディスプレイ装置の技術分野では、複数のＸ電極と複数のＹ電極を水平方向に交互に隣接して配置し、また、アドレス電極が垂直方向に配置されて、マトリックスを形成し、各電極の交点の放電セルにＸ駆動回路、Ｙ駆動回路、アドレス駆動回路からの駆動波形を印加して画像を表示する方式の装置が知られている。
図９に、従来のプラズマディスプレイ装置のパネルと駆動回路の概要図を示し、また、図１０に、プラズマテディスプレイパネルの構造と駆動信号のサブフィ−ルド構成を示す。
図９を参照すると、プラズマディスプレイ装置は、プラズマディスプレイのパネル３と、Ｘ駆動回路４、Ｙ駆動回路５、アドレス駆動回路６、制御回路７とから構成される。
Ｘ駆動回路４はパネル３の複数のＸ電極１１に、Ｙ駆動回路５はパネル３の複数のＹ電極１２に、アドレス駆動回路６はパネル３の複数のアドレス電極１５に、駆動波形を印加し、制御回路７が全体を制御する。
図１０に記載されたプラズマディスプレイのパネル構造では、前面板１の表面には、複数本のＸ電極１１およびＹ電極１２と、誘電体層１３と保護層１４が配置され、背面板２の表面には前記Ｘ電極１１およびＹ電極１２と直交する複数本のアドレス電極１５と誘電体層１６と隔壁１７と蛍光体１８〜２０とが配置されている。またセル内の空間には放電ガスである気体が封入されており、各電極に印加される電圧を制御することによって気体を励起状態にして放電を行う。蛍光体１８〜２０は、その放電によって生じた紫外線を可視光に変換する。
図１０の（ａ）に記載された駆動信号のサブフィールド構成図では、フィールドが１０個のサブフィールド２１〜３０の構成が示され、図１０の（ｂ）には、１つのサブフィールド内に、リセット期間３１、アドレス期間３２、サステイン期間３３を設けることが記載されている。【０００３】
図１１に、従来のプラズマディスプレイパネルのリセット期間内の書き込み期間において、すべてのセルに対してリセットする場合の駆動波形を示す。
図１１には、たとえば、図１０の（ａ）（ｂ）に示されたように、フィールド区間が複数のサブフィールドに分割され、サブフィールドが、リセット期間とアドレス期間とサステイン期間に分割された、そのリセット期間が、更に書き込み期間と電荷調整期間に分割され、アドレス期間が、更に、アドレス前半期間とアドレス後半期間に分割される駆動波形の例が示されている。
図１１に示された、すべてのセルに対してリセットする場合の駆動波形では、リセット期間の書き込み期間には、Ｙ電極に印加する駆動電圧は電圧Ｖｓから増加（正方向に変化）して、電荷調整期間には、Ｙ電極に印加する駆動電圧が減少（負方向に変化）して、一定の到達電圧（−Ｖｙ＋α）に到達する。
図１２に、従来のプラズマディスプレイパネルのリセット期間内の書き込み期間において、点灯していたセルのみに対してリセットする場合の駆動波形を示す。
図１２において、点灯していたセルのみに対してリセットする場合の駆動波形では、リセット期間の書き込み期間には、Ｙ電極に印加する駆動電圧は一定値２Ｖｓに維持され、電荷調整期間には、Ｙ電極に印加する駆動電圧が減少（負方向に変化）して、一定の到達電圧（−Ｖｙ＋α）に到達する。【０００４】
図１３は、従来のプラズマディスプレイパネルのＹ駆動回路とＹ電極に印加する駆動波形と各スイッチの開閉のタイミングを示す図である。
図１３のＹ駆動回路は、正の定電圧Ｖｓ，Ｖｗと、負の定電圧（−Ｖｙ＋α），（−Ｖｙ）と、を備え、複数個のダイオード、複数個のインダクタンスＬ、複数個のキャパシタンスＣ、複数個のレジスタンスＲと複数個のスイッチＳＷ１〜ＳＷ１３とから構成されており、複数のスイッチＳＷ１〜ＳＷ１３の開閉（オンオフ：Ｈ，Ｌ）のタイミングを制御して、パネルＣｐａｎｅｌにＹ電極の駆動波形を印加する。
Ｙ電極に印加する駆動波形は、図１１に示すように、リセット期間の前半で、電圧が上昇して、Ｖｓ＋Ｖｗに到達し、リセット期間の後半で、電圧が下降して、−Ｖｙ＋αに到達する。そして、アドレス期間に、Ｙ電極には、−Ｖｙのパルス電圧が印加される。Ｙ電極に、−Ｖｙのパルス電圧が印加されると同時に、アドレス電極には、＋Ｖａのパルス電圧が印加されて、アドレス電極とＹ電極との間で放電が開始され、更にＸ電極とＹ電極との間でも放電が行われ、点灯するセルがアドレスされる。その後、サステイン期間において、Ｘ電極とＹ電極の間に逆極性のパルス電圧Ｖｓを交互に印加して維持放電を継続させる。【０００５】
また、下記の特許文献１には、パネル温度が上昇した場合や長時間パネルを点灯した場合の表示点灯状態の劣化を抑えることを目的として、パネル温度が上昇した場合や長時間パネルを点灯した場合に、スキャン側電極にベース電圧を印加させる直前に壁電圧を減少させるパルスを印加し、スキャン側電極の電位を減少させるプラズマディスプレイの駆動方法が開示されている。【０００６】
図１４に、特許文献１のプラズマディスプレイ装置のパネルと駆動回路の概要図および各電極に印加される駆動波形を示す。
図１４において、パネル温度検知部は、プラズマディスプレイパネルのパネル温度を検知し、パネル温度が上昇した場合等に、スキャン側電極に、ベース電圧Ｖｓｃｎを印加させる直前に、スキャン側電極の電位を下げる負電圧のパルスを印加して、パネル温度が上昇した場合や長時間パネルを点灯した場合の表示点灯状態の劣化を防いでいる。
上記の表示点灯状態の劣化は、パネル温度の上昇により、蛍光体中の不純物が気化して気体中の分子が増加した場合、あるいは、長期間パネルを点灯した場合に、点灯時の放電によりパネルの保護膜がスパッタされて、保護膜中の不純物が気体中に放出されて、気体中の分子が増加した場合に、僅かに放出された電子により分子が励起されて不要な放電が生じることによる劣化であり、
上記のパルスは、ベース電圧Ｖｓｃｎを印加させる直前に、スキャン側電極に短期間に負電圧を印加して、壁電圧を減少させて、上記劣化を防ぐものである。【０００７】
【特許文献１】特開２００３−１４０６０１号公報
【発明の開示】
【発明が解決しようとする課題】
【０００８】
図１５には、従来のプラズマディスプレイパネルのＹ電極に印加する駆動波形と、環境温度が低温の場合に生じる問題点を示す。
図１５において、リセット期間内の書き込み期間に、Ｙ電極に印加する駆動波形の電圧が上昇していくと、パネル内のＹ電極の近傍には負電荷が蓄積し、アドレス電極とＸ電極の近傍には正電荷が蓄積していき、電荷調整期間に、上記蓄積された負電荷および正電荷は徐々に減少し、電荷調整期間の終了時の一定の到達電圧の時点で、パネル内のＹ電極の近傍に負電荷、アドレス電極とＸ電極の近傍に正電荷が蓄積される。（これを「壁電荷」と称する。）
リセット期間後のアドレス期間に、アドレス電極には正電圧Ｖａが印加され、同時に、Ｙ電極には負電圧−Ｖｙが印加され、アドレス電極とＹ電極が交差するセルでは、上記壁電荷によるアドレス電極からＹ電極への電位（壁電位）と同じ方向に、上記アドレス期間の正電圧Ｖａと負電圧−Ｖｙによる電位差（Ｖａ＋Ｖｙ）が重畳して、放電が開始される。しかし、プラズマディスプレイの環境温度が低温になると、たとえば、寒冷地での電源投入の初期状態には、放電電流の発生が遅延し、アドレス期間の正電圧Ｖａと負電圧−Ｖｙのパルス終了時に放電が終了しない場合が発生して、発光セルを選択できないアドレスミスの発生確率が高くなり、安定的な動作マージンを確保することが困難となるという問題点があった。
上記特許文献１に記載された発明では、パネル温度の上昇、あるいは、長期間パネルを点灯した場合の気体中の分子の増加による不要な放電を防ぐために、パネル温度を検出して走査パルスの電圧を変化させ、特に、短期間のパルスをベース電圧を印加する直前に印加しているが、上記特許文献１記載の技術では、プラズマディスプレイの環境温度が低下した場合の上記問題点を解決することはできない。
本発明が解決しようとする問題点は、プラズマディスプレイの環境温度が低温の場合に、放電電流の発生が遅延し、アドレスミスの発生確率が高くなり、安定的な動作マージンを確保することが困難となるという問題点である。
【課題を解決するための手段】
【０００９】
本発明のプラズマディスプレイの駆動方法及び装置では、上記問題点を解決するために、プラズマディスプレイの環境温度を検出し、リセット期間内の書き込み期間後の電荷調整期間において、走査電極に印加する電圧の駆動波形が、負方向に連続的に変化して上記電荷調整期間の終了時の到達電圧を上記検出された環境温度に応じて変化させ、その変化の向きは上記環境温度が下がると上記到達電圧が正の方向になるように制御している。
具体的には、本発明のプラズマディスプレイの駆動方法及び装置では、複数の到達電圧を設定する、或いは、駆動波形の傾きを変化する、或いは、電荷調整期間の終了のタイミングの変更を、検出された環境温度に応じて、上記環境温度が下がると上記到達電圧が正の方向になるように制御することにより実現する。
【発明の効果】
【００１０】
本発明によれば、プラズマディスプレイの環境温度が低温の場合に、放電電流の発生の遅延を抑え、アドレスミスの発生確率を低下させ、安定的な動作マージンを確保することが可能になり、環境温度が低温の場合のプラズマディスプレイの表示画質の劣化を防ぐことができる。
【図面の簡単な説明】
【００１１】
【図１】図１は、本発明のプラズマディスプレイ装置のパネルと駆動回路の概要図である。
【図２】図２は、本発明のプラズマディスプレイパネルのＹ電極に印加する駆動波形と、環境温度が低温の場合の問題点の解決を示す図である。
【図３】図３は、本発明の実施例１のプラズマディスプレイの書き込み期間において、すべてのセルに対してリセットする場合の各電極に印加する駆動波形を示す図である。
【図４】図４は、本発明の実施例１のプラズマディスプレイパネルのＹ駆動回路とＹ電極に印加する駆動波形と各スイッチの開閉のタイミングを示す図である。
【図５】図５は、本発明の実施例２のプラズマディスプレイの書き込み期間において、すべてのセルに対してリセットする場合の各電極に印加する駆動波形を示す図である。
【図６】図６は、本発明の実施例２のプラズマディスプレイパネルのＹ駆動回路とＹ電極に印加する駆動波形と各スイッチの開閉のタイミングを示す図である。
【図７】図７は、本発明の実施例３のプラズマディスプレイの書き込み期間において、すべてのセルに対してリセットする場合の各電極に印加する駆動波形を示す図である。
【図８】図８は、本発明の他の実施例のリセット期間内の書き込み期間において、点灯していたセルのみに対してリセットする場合の各電極に印加する駆動波形を示す図である。
【図９】図９は、従来のプラズマディスプレイ装置のパネルと駆動回路の概要を示す図である。
【図１０】図１０は、従来のプラズマディスプレイパネルの構造と駆動信号のサブフィールド構成を示す図である。
【図１１】図１１は、従来のプラズマディスプレイのリセット期間内の書き込み期間において、すべてのセルに対してリセットする場合の各電極に印加する駆動波形を示す図である。
【図１２】図１２は、従来のプラズマディスプレイのリセット期間内の書き込み期間において、点灯していたセルのみに対してリセットする場合の各電極に印加する駆動波形を示す図である。
【図１３】図１３は、従来のプラズマディスプレイパネルのＹ駆動回路とＹ電極に印加する駆動波形と各スイッチの開閉のタイミングを示す図である。
【図１４】図１４は、特許文献１のプラズマディスプレイ装置のパネルと駆動回路の概要図および各電極に印加される駆動波形を示す図である。
【図１５】図１５は、従来のプラズマディスプレイパネルのＹ電極に印加する駆動波形と、環境温度が低温の場合の問題点を示す図である。
【符号の説明】
【００１２】
１  前面板
２  背面板
３  パネル
４  Ｘ駆動回路
５  Ｙ駆動回路
６  アドレス駆動回路
７  制御回路
８  サーミスタ  
１１  Ｘ電極
１２  Ｙ電極
１３、１６  誘電体層
１４  保護層
１５  アドレス電極
１７  隔壁
１８〜２０  蛍光体
２１〜３０  サブフィールド
３１  リセット期間
３２  アドレス期間
３３  サステイン期間
【発明を実施するための最良の形態】
【００１３】
図１には、本発明のプラズマディスプレイ装置のパネルと駆動回路の概要図を示す。
図１を参照すると、本発明のプラズマディスプレイ装置は、プラズマディスプレイのパネル３と、Ｘ駆動回路４、Ｙ駆動回路５、アドレス駆動回路６、制御回路７とから構成されており、従来のプラズマディスプレイ装置と比較すると、本発明のプラズマディスプレイ装置は、サーミスタ等の温度検出手段８を備えており、検出された環境温度に応じて生成された制御信号が、制御回路７からＸ駆動回路４、アドレス駆動回路６、及び、Ｙ駆動回路５に送られて、制御信号により、環境温度に応じた各電極に印加される電圧の駆動波形が生成される点を特徴としている。
図１では、温度検出手段であるサーミスタ８は、制御回路７内に配置されているが、低温の環境温度を検出する温度検出手段８の配置位置は、制御回路７内、あるいは、パネル内などに限定される必要はない。【００１４】
図２は、本発明のプラズマディスプレイパネルのアドレス電極、Ｘ電極、Ｙ電極に印加する駆動波形と、環境温度が低温の場合の上記問題点の解決方法を示す図である。
図２において、リセット期間内の書き込み期間に、Ｙ電極に印加する駆動波形の電圧が上昇していくと、パネル内のＹ電極の近傍には負電荷が蓄積し、アドレス電極とＸ電極の近傍には正電荷が蓄積していき、電荷調整期間に、上記蓄積された負電荷および正電荷は徐々に減少していくこととなるが、
本発明では、プラズマディスプレイの環境温度が低下しているときには、電荷調整期間におけるＹ電極に印加する電圧の駆動波形を変化させ、電荷調整期間終了時の到達電圧を、従来の−Ｖｙ＋αから−Ｖｙ＋α＋βに変化させ、到達電圧の変化が正の方向になるように制御している。
この制御により、電荷調整期間終了時に、パネル内のＹ電極の近傍に負電荷、アドレス電極とＸ電極の近傍に正電荷が蓄積される壁電荷が適量に確保されて、リセット期間後のアドレス期間に、アドレス電極には正電圧Ｖａが印加され、同時に、Ｙ電極には負電圧−Ｖｙが印加されると、壁電荷による電位と上記アドレス期間の正電圧Ｖａと負電圧−Ｖｙによる電位差（Ｖａ＋Ｖｙ）が重畳して、放電電流の発生が遅延することなく発生し、アドレス期間の正電圧Ｖａと負電圧−Ｖｙのパルス終了時に、安定的な動作マージンをもって、アドレス電極とＹ電極間でのアドレス放電が終了することとなり、アドレスミスの発生は抑えられ、低い環境温度においても、プラズマディスプレイの高画質の画像を表示することができる。
以下、本発明の実施例について、図を用いて説明する。
【実施例１】
【００１５】
図３は、本発明の実施例１のプラズマディスプレイの書き込み期間において、すべてのセルに対してリセットする場合の各電極に印加する駆動波形を示す図である。
図３において、リセット期間内の書き込み期間に、Ｙ電極に印加する駆動波形の電圧が上昇していくと、パネル内のＹ電極の近傍には負電荷が蓄積し、アドレス電極とＸ電極の近傍には正電荷が蓄積していき、電荷調整期間に、上記蓄積された負電荷および正電荷は徐々に減少していくが、
実施例１では、プラズマディスプレイの環境温度が低下しているときには、電荷調整期間終了時の到達電圧を、従来の−Ｖｙ＋αから−Ｖｙ＋α＋βに変化させ、到達電圧の変化が正の方向になるように制御する点に特徴がある。
図３においては、到達電圧の−Ｖｙ＋αから−Ｖｙ＋α＋βへの変化は、環境温度の低下に応じて、２段階に変化させているが、２段階を更に、多段階に形成して、環境温度の変化に応じて、段階的にもしくはリニアに変化させることもできる。【００１６】
図４は、本発明の実施例１のプラズマディスプレイパネルのＹ駆動回路とＹ電極に印加する駆動波形と各スイッチの開閉のタイミングを示す図である。
実施例１のＹ駆動回路は、正電圧Ｖｓ，Ｖｗと、負電圧（−Ｖｙ＋α），（−Ｖｙ）と、を備え、複数個のダイオード、複数個のインダクタンスＬ、複数個のキャパシタンスＣ、複数個のレジスタンスＲと複数個のスイッチＳＷ１〜ＳＷ１４とから構成されており、複数のスイッチＳＷ１〜ＳＷ１４の開閉（オンオフ：Ｈ，Ｌ）のタイミングを制御して、パネルＣｐａｎｅｌにＹ電極の駆動波形を印加しているが、実施例１のＹ駆動回路は、負電圧（−Ｖｙ＋α）以外に、負電圧（−Ｖｙ＋α＋β）を並列に設け、スイッチＳＷ６以外にＳＷ１４を設けて、これらをスイッチＳＷ６とＳＷ１４とにより負電圧（−Ｖｙ＋α）と負電圧（−Ｖｙ＋α＋β）を切り替えて制御する点に特徴がある。
通常温度による動作時には、ＳＷ６をオンにし、ＳＷ１４をオフにして、電荷調整期間終了時の到達電圧を−Ｖｙ＋αとし、環境温度が低温の場合には、ＳＷ６をオフにし、ＳＷ１４をオンにして、電荷調整期間終了時の到達電圧を−Ｖｙ＋α＋βに変更することができる。
なお、上記の環境温度によって変化させる到達電圧は、アドレス期間の走査電圧（−Ｖｙ）以上とすることが望ましい。（−Ｖｙ）＜（−Ｖｙ＋α）＜（−Ｖｙ＋α＋β）
また、到達電圧と走査電圧の電位差を略３０Ｖ以内とすることが望ましい。
（−Ｖｙ＋α＋β）−（−Ｖｙ）＝α＋β＜３０Ｖ
上記のように到達電圧を変化させる場合、電荷調整期間内において、Ｙ電極に印加する電圧の駆動波形は、負方向に連続的に変化するものであり、パネル内の各電極に十分な壁電荷を蓄積することができ、放電電流の発生が遅延することなく発生し、アドレス期間の正電圧Ｖａと負電圧−Ｖｙのパルス終了時に、安定的な動作マ−ジンをもって、アドレス電極とＹ電極間でのアドレス放電が終了することとなり、アドレスミスの発生は抑制され、低い環境温度においても、プラズマディスプレイの高画質の画像を表示することができる。
【実施例２】
【００１７】
図５は、本発明の実施例２のプラズマディスプレイの書き込み期間において、すべてのセルに対してリセットする場合の各電極に印加する駆動波形を示す図である。
図５において、リセット期間内の書き込み期間に、Ｙ電極に印加する駆動波形の電圧が上昇していくと、パネル内のＹ電極の近傍には負電荷が蓄積し、アドレス電極とＸ電極の近傍には正電荷が蓄積していき、電荷調整期間に、上記蓄積された負電荷および正電荷は徐々に減少していくが、
実施例２では、プラズマディスプレイの環境温度が低下しているときには、電荷調整期間の、Ｙ電極に印加する駆動波形の傾きを変化させて、終了時の到達電圧が、従来の−Ｖｙ＋αから−Ｖｙ＋α＋βに変化し、到達電圧の変化が正の方向になるように制御する点に特徴がある。【００１８】
図６は、本発明の実施例２のプラズマディスプレイパネルのＹ駆動回路とＹ電極に印加する駆動波形と各スイッチの開閉のタイミングを示す図である。
図６に記載された実施例２のＹ駆動回路は、正電圧Ｖｓ，Ｖｗと、負電圧（−Ｖｙ＋α），（−Ｖｙ）と、を備え、複数個のダイオ−ド、複数個のインダクタンスＬ、複数個のキャパシタンスＣ、複数個のレジスタンスＲと複数個のスイッチＳＷ１〜ＳＷ１４とから構成されており、複数のスイッチＳＷ１〜ＳＷ１４の開閉（オンオフ：Ｈ，Ｌ）のタイミングを制御して、パネルＣｐａｎｅｌにＹ電極の駆動波形を印加しているが、負の低電圧（−Ｖｙ＋α）に接続されているレジスタンスＲ１以外に、レジスタンスＲ１より抵抗値の大きいＲ２を並列に設け、スイッチＳＷ６以外にＳＷ１４を設けて、これらをスイッチＳＷ６とＳＷ１４とにより、Ｒ１とＲ２を切り替えて制御する点に特徴がある。
通常温度による動作時には、ＳＷ６をオンにし、ＳＷ１４をオフにして、電荷調整期間終了時の到達電圧が−Ｖｙ＋αとなるが、環境温度が低温の場合には、ＳＷ６をオフにし、ＳＷ１４をオンにして、Ｒ１から抵抗値の大きなＲ２に変更することにより、電荷調整期間終了時の到達電圧を、正方向に変化した、たとえば、−Ｖｙ＋α＋βに変更することができる。
上記のように駆動波形の傾きを変化させる場合、電荷調整期間内において、Ｙ電極に印加する電圧の駆動波形は、負方向に連続的に変化するものであり、パネル内の各電極に十分な壁電荷を蓄積することができ、放電電流の発生が遅延することなく発生し、アドレス期間の正電圧Ｖａと負電圧−Ｖｙのパルス終了時に、安定的な動作マ−ジンをもって、アドレス電極とＹ電極間でのアドレス放電が終了することとなり、アドレスミスの発生は抑制され、低い環境温度においても、プラズマディスプレイの高画質の画像を表示することができる。
【実施例３】
【００１９】
図７は、本発明の実施例３のプラズマディスプレイの書き込み期間において、すべてのセルに対してリセットする場合の各電極に印加する駆動波形を示す図である。
図７において、リセット期間内の書き込み期間に、Ｙ電極に印加する駆動波形の電圧が上昇していくと、パネル内のＹ電極の近傍には負電荷が蓄積し、アドレス電極とＸ電極の近傍には正電荷が蓄積していき、電荷調整期間に、上記蓄積された負電荷および正電荷は徐々に減少していくが、
実施例３では、プラズマディスプレイの環境温度が低下しているときには、電荷調整期間の終了時の動作タイミングを変更して、終了時の到達電圧が、従来の−Ｖｙ＋αから、例えば、−Ｖｙ＋α＋βに変化し、到達電圧の変化が正の方向になるように制御する点に特徴がある。
上記のように電荷調整期間の終了時の動作タイミングを変化させる場合、電荷調整期間内において、Ｙ電極に印加する電圧の駆動波形は、負方向に連続的に変化するものであり、到達電圧が、例えば、−Ｖｙ＋α＋βの正の方向に高い終了時点で、パネル内の各電極に十分な壁電荷を蓄積することができ、放電電流の発生が遅延することなく発生し、アドレス期間の正電圧Ｖａと負電圧−Ｖｙのパルス終了時に、安定的な動作マージンをもって、アドレス電極とＹ電極間でのアドレス放電が終了することとなり、アドレスミスの発生は抑制され、低い環境温度においても、プラズマディスプレイの高画質の画像を表示することができる。
【他の実施例】
【００２０】
図８は、本発明の他の実施例のリセット期間内の書き込み期間において、点灯していたセルのみに対してリセットする場合の各電極に印加する駆動波形を示す図である。
図８に示されるように、点灯していたセルのみに対してリセットする場合の各電極に印加する駆動波形においては、リセット期間内の書き込み期間の開始時期に、Ｙ電極に印加する駆動波形の電圧が２Ｖｓに上昇し、書き込み期間の途中で、Ｘ電極に印加する駆動波形の電圧がＶｘに上昇して、パネル内のＹ電極の近傍には負電荷が蓄積し、アドレス電極とＸ電極の近傍には正電荷が蓄積し、電荷調整期間に、上記蓄積された負電荷および正電荷は徐々に減少していくが、
他の実施例では、プラズマディスプレイの環境温度が低下しているときには、電荷調整期間におけるＹ電極に印加する電圧の駆動波形を変化させ、電荷調整期間終了時の到達電圧を、従来の−Ｖｙ＋αから−Ｖｙ＋α＋βに変化させ、到達電圧の変化が正の方向になるように制御している。
この制御により、電荷調整期間終了時に、パネル内のＹ電極の近傍に負電荷、アドレス電極とＸ電極の近傍に正電荷が蓄積される壁電荷が適量に確保されて、リセット期間後のアドレス期間に、アドレス電極には正電圧Ｖａが印加され、同時に、Ｙ電極には負電圧−Ｖｙが印加されると、壁電荷による電位と上記アドレス期間の正電圧Ｖａと負電圧−Ｖｙによる電位差（Ｖａ＋Ｖｙ）が重畳して、放電電流の発生が遅延することなく発生し、アドレス期間の正電圧Ｖａと負電圧−Ｖｙのパルス終了時に、安定的な動作マージンをもって、アドレス電極とＹ電極間でのアドレス放電が終了することとなり、アドレスミスの発生は抑制され、低い環境温度においても、プラズマディスプレイの高画質の画像を表示することができる。
なお、他の実施例において、電荷調整期間中に、Ｙ電極への駆動波形と到達電圧を変化させる方法として、上記実施例１から実施例３に記載した、複数の到達電圧を選択する方法、駆動波形の傾きを変化させる方法、電荷調整期間の終了時のタイミングを変化させる方法を組み合わせることができる。
【図１】
2006137118.tif 000002
【図２】
2006137118.tif 000003
【図３】
2006137118.tif 000004
【図４】
2006137118.tif 000005
【図５】
2006137118.tif 000006
【図６】
2006137118.tif 000007
【図７】
2006137118.tif 000008
【図８】
2006137118.tif 000009
【図９】
2006137118.tif 000010
【図１０】
2006137118.tif 000011
【図１１】
2006137118.tif 000012
【図１２】
2006137118.tif 000013
【図１３】
2006137118.tif 000014
【図１４】
2006137118.tif 000015
【図１５】
2006137118.tif 000016
【手続補正書】
【提出日】平成19年10月30日(2007.10.30)
【手続補正１】
【補正対象書類名】特許請求の範囲
【補正対象項目名】請求項１９
【補正方法】変更
【補正の内容】
【請求項１９】
前記到達電位と、前記アドレス期間時に前記第２の電極に印加する負極性パルス電圧との電位差を３０Ｖ以下とすることを特徴とする請求項１１乃至請求項１８の何れか一項に記載のプラズマディスプレイ装置。
【国際調査報告】
2006137118.tif 000017
2006137118.tif 000018
2006137118.tif 000019
2006137118.tif 000020